(57)【要約】      （修正有）【課題】消費者が安心してサービスを選択することが可能となるサービス情報提供システムを提供する。【解決手段】サービス情報提供システム１のサーバ４は、サービス提供者端末２から送信されたサービス提供者情報を記録するサービス提供者情報記録手段６と、既存顧客端末３Ａ〜３Ｆから送信された既存顧客情報を記録する既存顧客情報記録手段７Ａ〜７Ｆと、サービスの品質理解のための付属物の情報にアクセス可能な付属物出力手段８と、付属物の情報が利用された既存顧客に対して、還元率の情報に応じたポイントを付与するポイント付与手段９と、を備える。【選択図】図１
2020061115.tif 000002
【特許請求の範囲】
【請求項１】
所定のサービスの情報を含み、サービス提供者の端末から送信された情報を、サービス提供者情報として記録するサービス提供者情報記録手段と、
前記サービス提供者から提供されたサービスの情報と、前記サービス提供者から提供されたサービスの品質理解のための付属物の情報と、前記付属物の情報が利用された場合の還元率の情報を含み、前記サービス提供者とは異なる既存顧客の端末から送信された情報を、既存顧客情報として記録する既存顧客情報記録手段と、
前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、
前記付属物情報出力手段が情報を出力することによって、付属物の情報が利用された既存顧客に対して、前記選択既存顧客情報に含まれる還元率の情報に応じたポイントを付与するポイント付与手段と、を備える
サービス情報提供システム。
【請求項２】
前記サービス提供者情報は、前記サービス提供者が提供するサービスの品質理解のための付属物の情報を含む
請求項１に記載のサービス情報提供システム。
【請求項３】
前記サービス提供者情報記録手段は、前記既存顧客情報記録手段とは異なる
請求項１または請求項２に記載のサービス情報提供システム。
【請求項４】
前記サービス提供者情報は、前記選択既存顧客情報を特定するための特定情報を含み、同特定情報に基づいて、前記付属物情報出力手段及び前記ポイント付与手段が機能する
請求項１、請求項２または請求項３に記載のサービス情報提供システム。
【請求項５】
サービス提供者から提供されたサービスの品質理解のための付属物の情報と、前記付属物の情報が利用された場合の還元率の情報を含み、前記サービス提供者とは異なる既存顧客の端末から送信された情報を、既存顧客情報として記録する既存顧客情報記録手段と、
前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、
前記付属物情報出力手段が情報を出力することによって、付属物の情報が利用された既存顧客に対して、前記選択既存顧客情報に含まれる還元率の情報に応じたポイントを付与するポイント付与手段と、を備える
サービス情報提供システム。
【請求項６】
サービス提供者から所定のサービスの提供を受けた既存顧客の情報と、前記所定のサービスの品質理解のための付属物の情報と、前記付属物の情報が利用された場合の還元率の情報とを、既存顧客情報として記録する既存顧客情報記録手段と、
前記既存顧客情報記録手段に記録された付属物の情報、若しくは、同付属物の情報にアクセス可能な識別情報を出力する付属物情報出力手段と、
前記付属物情報出力手段が情報を出力することによって、付属物の情報が利用された既存顧客に対して、前記既存顧客情報記録手段に記録された還元率の情報に応じたポイントを付与するポイント付与手段とを備え、
前記既存顧客情報記録手段に記録された既存顧客情報のうち、少なくとも付属物の情報と還元率の情報については、既存顧客自身が変更可能に構成されると共に、
前記付属物情報出力手段が出力する情報は、前記既存顧客情報記録手段に記録された顧客情報からサービス提供者が選択し、出力対象情報として前記サービス提供者情報記録手段に記録された情報に基づいて出力可能に構成されている
サービス情報提供システム。
【請求項７】
前記既存顧客情報記録手段に記録された顧客情報は、既存顧客自身が変更し、その後、サービス提供者が承認することによって変更が反映されるべく構成されている
請求項６に記載のサービス情報提供システム。
【請求項８】
前記付属物情報出力手段は、前記既存顧客情報記録手段に記録された付属物の情報にアクセス可能な識別情報であり、前記顧客情報が変更された場合であっても、前記識別情報の出力から所定期間は変更前の付属物の情報にアクセス可能に構成されている
請求項６または請求項７に記載のサービス情報提供システム。
【請求項９】
前記サービス提供者情報記録手段には、サービス提供者が提供するサービスの価格の情報が、前記既存顧客が確認可能な状態で記録されると共に、
前記ポイント付与手段は、前記サービスの価格に前記還元率を乗じた価格に相当するポイントを付与すべく構成されている
請求項６、請求項７または請求項８に記載のサービス情報提供システム。
【発明の詳細な説明】
【技術分野】
【０００１】
本発明は、サービス情報提供システムに関する。詳しくは、消費者が安心してサービス選択をすることが可能となるサービス情報提供システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そのため、食品の原料粉末見本は、食品の品質についての情報を得ることができる要因ではあるものの、たった１つの要因に過ぎず、原料粉末見本を食品に添付して食品を提供するといった特許文献１に記載の技術のみでは、消費者が安心して商品やサービスを選択するといった目的を実現するのに充分ではない場合がある。
【０００９】
本発明は、以上の点に鑑みて創案されたものであって、より一層充分に消費者が安心してサービスを選択することが可能となるサービス情報提供システムを提供することを目的とするものである。
【課題を解決するための手段】
【００１０】
上記の目的を達成するために、本発明のサービス情報提供システムは、所定のサービスの情報を含み、サービス提供者の端末から送信された情報を、サービス提供者情報として記録するサービス提供者情報記録手段と、前記サービス提供者から提供されたサービスの情報と、前記サービス提供者から提供されたサービスの品質理解のための付属物の情報と、前記付属物の情報が利用された場合の還元率の情報を含み、前記サービス提供者とは異なる既存顧客の端末から送信された情報を、既存顧客情報として記録する既存顧客情報記録手段と、前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、前記付属物情報出力手段が情報を出力することによって、付属物の情報が利用された既存顧客に対して、前記選択既存顧客情報に含まれる還元率の情報に応じたポイントを付与するポイント付与手段と、を備える。
【００１１】
ここで、サービス提供者情報として、所定のサービスの情報がサービス提供者情報記録手段に記録されることによって、サービス提供者が既存顧客に提供した所定のサービスを特定することができる。
【００１２】
また、既存顧客情報として、サービス提供者から提供されたサービスの情報が既存顧客情報記録手段に記録されることによって、既存顧客がサービス提供者から提供された所定のサービスを特定することができる。
【００１３】
そして、所定のサービスの特定を、サービスを提供する側（サービス提供者）と提供される側（既存顧客）の双方の情報に基づいて行うことによって、情報の改竄や偽造等を抑止することができる。
即ち、同一内容であるべき情報（所定のサービスの情報）について、それを提供する側（サービス提供者）と提供される側（既存顧客）の双方から記録することによって、情報の改竄や偽造等を抑止することができる。
なお、サービス提供者情報記録手段が、既存顧客情報記録手段と異なる場合には、より一層情報の改竄や偽造等を抑止することができる。
【００１４】
また、既存顧客情報として、付属物の情報が既存顧客情報記録手段に記録されることによって、サービス提供者から提供されたサービスの品質を特定することができる。
【００１５】
ここで、サービス提供者情報として、付属物の情報がサービス提供者情報記録手段に記録される場合には、サービス提供者が提供したサービスの品質を特定することができる。
【００１６】
そして、所定のサービスの品質の特定を、サービスを提供する側（サービス提供者）と提供される側（既存顧客）の双方の情報に基づいて行うことによって、情報の改竄や偽造等を抑止することができる。
即ち、同一内容であるべき情報（付属物の情報）について、サービスを提供する側（サービス提供者）とサービスを提供される側（既存顧客）の双方から記録することによって、情報の改竄や偽造等を抑止することができる。
なお、サービス提供者情報記録手段が、既存顧客情報記録手段と異なる場合には、より一層情報の改竄や偽造等を抑止することができる。
【００１７】
また、既存顧客情報として、還元率の情報が既存顧客情報記録手段に記録されることによって、付属物が利用された場合の還元率を特定することができる。
【００１８】
また、付属物情報出力手段が選択既存顧客情報に含まれる付属物の情報、若しくは、付属物の情報にアクセス可能な識別情報を出力することによって、消費者は既存顧客がサービス提供者から提供されたサービスの品質を把握することができる。
【００１９】
更に、ポイント付与手段が付属物の情報が利用された既存顧客に対してポイントを付与することによって、付属物の情報が利用されたいという既存顧客のインセンティブを高めることができる。
【００２０】
なお、既存顧客情報は既存顧客の端末から送信される情報であるために、換言すると、還元率の情報を既存顧客自身が決定し、既存顧客情報記録手段に記録することによって、付属物の情報が利用されたいという既存顧客のインセンティブが高まることを期待できる。そして、こうしたインセンティブの高まりに伴って、既存顧客情報に含まれる付属物の情報の高品質化も期待できる。
【００２１】
また、ポイントを付与される対象は、サービス提供者が選択した既存顧客情報であるために、換言すると、サービス提供者に選択された既存顧客情報のみが利用されるために、既存顧客情報が利用されたい既存顧客同士での競争が生まれ、より一層、既存顧客情報に含まれる付属物の情報の高品質化が期待できる。なお、サービス提供者が選択する既存顧客情報は、単数でも複数であっても良い。
【００２２】
また、上記の目的を達成するために、本発明のサービス情報提供システムは、サービス提供者から提供されたサービスの品質理解のための付属物の情報と、前記付属物の情報が利用された場合の還元率の情報を含み、前記サービス提供者とは異なる既存顧客の端末から送信された情報を、既存顧客情報として記録する既存顧客情報記録手段と、前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、前記付属物情報出力手段が情報を出力することによって、付属物の情報が利用された既存顧客に対して、前記選択既存顧客情報に含まれる還元率の情報に応じたポイントを付与するポイント付与手段と、を備える。
【００２３】
ここで、既存顧客情報として、付属物の情報が既存顧客情報記録手段に記録されることによって、サービス提供者から提供されたサービスの品質を特定することができる。
【００２４】
また、既存顧客情報として、還元率の情報が既存顧客情報記録手段に記録されることによって、付属物が利用された場合の還元率を特定することができる。
【００２５】
また、付属物情報出力手段が選択既存顧客情報に含まれる付属物の情報、若しくは、付属物の情報にアクセス可能な識別情報を出力することによって、消費者は既存顧客がサービス提供者から提供されたサービスの品質を把握することができる。
【００２６】
更に、ポイント付与手段が付属物の情報が利用された既存顧客に対してポイントを付与することによって、付属物の情報が利用されたいという既存顧客のインセンティブを高めることができる。
【００２７】
なお、既存顧客情報は既存顧客の端末から送信される情報であるために、換言すると、還元率の情報を既存顧客自身が決定し、既存顧客情報記録手段に記録することによって、付属物の情報が利用されたいという既存顧客のインセンティブが高まることを期待できる。そして、こうしたインセンティブの高まりに伴って、既存顧客情報に含まれる付属物の情報の高品質化も期待できる。
【００２８】
また、ポイントを付与される対象は、サービス提供者が選択した既存顧客情報であるために、換言すると、サービス提供者に選択された既存顧客情報のみが利用されるために、既存顧客情報が利用されたい既存顧客同士での競争が生まれ、より一層、既存顧客情報に含まれる付属物の情報の高品質化が期待できる。なお、サービス提供者が選択する既存顧客情報は、単数でも複数であっても良い。
【００２９】
また、上記の目的を達成するために、本発明のサービス情報提供システムは、サービス提供者から所定のサービスの提供を受けた既存顧客の情報と、前記所定のサービスの品質理解のための付属物の情報と、前記付属物の情報が利用された場合の還元率の情報とを、既存顧客情報として記録する既存顧客情報記録手段と、前記既存顧客情報記録手段に記録された付属物の情報、若しくは、同付属物の情報にアクセス可能な識別情報を出力する付属物情報出力手段と、前記付属物情報出力手段が情報を出力することによって、付属物の情報が利用された既存顧客に対して、前記既存顧客情報記録手段に記録された還元率の情報に応じたポイントを付与するポイント付与手段とを備え、前記既存顧客情報記録手段に記録された既存顧客情報のうち、少なくとも付属物の情報と還元率の情報については、既存顧客自身が変更可能に構成されると共に、前記付属物情報出力手段が出力する情報は、前記既存顧客情報記録手段に記録された顧客情報からサービス提供者が選択し、出力対象情報として前記サービス提供者情報記録手段に記録された情報に基づいて出力可能に構成されている。
【００３０】
ここで、既存顧客情報として、付属物の情報が既存顧客情報記録手段に記録されることによって、サービス提供者から提供されたサービスの品質を特定することができる。
【００３１】
また、既存顧客情報として、還元率の情報が既存顧客情報記録手段に記録されることによって、付属物が利用された場合の還元率を特定することができる。
【００３２】
更に、付属物情報出力手段が、既存顧客情報記録手段に記録された付属物の情報、若しくは、付属物の情報にアクセス可能な識別情報を出力することによって、消費者は既存顧客がサービス提供者から提供されたサービスの品質を把握することができる。
【００３３】
更に、ポイント付与手段が付属物の情報が利用された既存顧客に対してポイントを付与することによって、付属物の情報が利用されたいという既存顧客のインセンティブを高めることができる。
【００３４】
なお、還元率の情報については、既存顧客自身が変更可能に構成されており、換言すると、還元率の情報を既存顧客自身が決定し、既存顧客情報記録手段に記録することによって、付属物の情報が利用されたいという既存顧客のインセンティブが高まることを期待できる。そして、こうしたインセンティブの高まりに伴って、既存顧客情報に含まれる付属物の情報の高品質化も期待できる。
【００３５】
また、ポイントを付与される対象が、サービス提供者が選択した既存顧客情報であるために、換言すると、サービス提供者に選択された既存顧客情報のみが利用されるために、既存顧客情報が利用されたい既存顧客同士での競争が生まれ、より一層、既存顧客情報に含まれる付属物の情報の高品質化が期待できる。なお、サービス提供者が選択する既存顧客情報は、単数でも複数であっても良い。
【００３６】
ところで、ここでの「所定のサービス」とは、顧客のためになされる種々の奉仕や、他人のために尽力すること、を意味し、有償であるか無償であるかは問わない。
【００３７】
また、ここでの「付属物の情報にアクセス可能な識別情報」とは、例えば、通信回線を介して付属物の情報が掲載されたウェブサイトにアクセスすることができる二次元バーコードやカラーコード等の識別子を意味する。
【００３８】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【００３９】
また、「所定のサービス」が、食品（一次産品）の加工である場合の「サービスの品質理解のための付属物の情報」としては、例えば、以下に示す付属物の情報が挙げられる。なお、食品以外の商品（一次産品）の加工である場合の付属物については、以下の付属物の説明中の「食品」を「商品」に読み替えるものとする。
【００４０】
［一次産品の付属物１］
所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【００４１】
［一次産品の付属物２］
所定の食品の生産地における種まきや苗植え前の土壌、及び、所定の食品の生産地における収穫後の土壌。
【００４２】
［一次産品の付属物３］
所定の食品の生産に関与した土壌、水、海水、海底水、アルカリ水、海底水から採取した塩、海藻の少なくとも１つである生産関与物本体と、生産関与物本体の採取地の情報である採取地情報とを有するもの。
【００４３】
［一次産品の付属物４］
所定の食品の生産地で得られた草。
【００４４】
［一次産品の付属物５］
所定の食品の生産に関与した外国産の飼料である草、所定の食品の生産に関与した国内産の飼料である草、所定の食品の生産に関与した外国産の穀物飼料、所定の食品の生産に関与した国内産の穀物飼料の少なくとも１つ。
【００４５】
［一次産品の付属物６］
所定の食品の生産に関与した飼料と略同一であり、穀物部分と、抗生物質及び成長ホルモン剤部分とが別個の状態に構成されたもの。
【００４６】
［一次産品の付属物７］
所定の食品と略同一条件で所定の食品とは別体で成長した代替食品。
【００４７】
［一次産品の付属物８］
所定の食品と略同一条件で所定の食品とは別体で成長した代替食品の粉末。
【００４８】
［一次産品の付属物９］
所定の食品と略同一条件で所定の食品とは別体で成長した代替食品の加工品。
【００４９】
［一次産品の付属物１０］
所定の食品と略同一条件で所定の食品とは別体で成長した代替食品の粉末加工品。
【００５０】
［一次産品の付属物１１］
所定の食品と略同一条件で所定の食品とは別体で成長した代替食品と一体に成長した代替一体成長物。
【００５１】
［一次産品の付属物１２］
所定の食品と略同一条件で所定の食品とは別体で成長した代替食品と一体に成長した代替一体成長物の粉末。
【００５２】
［一次産品の付属物１３］
所定の食品と略同一条件で所定の食品とは別体で成長した代替食品と一体に成長した代替一体成長物の加工品。
【００５３】
［一次産品の付属物１４］
所定の食品と略同一条件で所定の食品とは別体で成長した代替食品と一体に成長した代替一体成長物の粉末加工品。
【００５４】
［一次産品の付属物１５］
所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分。
【００５５】
［一次産品の付属物１６］
所定の食品と一体に成長した一体成長物の所定の食品とは異なる部分の粉末であり、若しくは、所定の食品と略同一条件で所定の食品とは別体で成長した代替食品と一体に成長した代替一体成長物の所定の食品に対応する部分とは異なる部分の粉末。
【００５６】
［一次産品の付属物１７］
所定の食品と一体に成長した一体成長物の所定の食品とは異なる部分の加工品であり、若しくは、所定の食品と略同一条件で所定の食品とは別体で成長した代替食品と一体に成長した代替一体成長物の所定の食品に対応する部分とは異なる部分の加工品。
【００５７】
［一次産品の付属物１８］
所定の食品と一体に成長した一体成長物の所定の食品とは異なる部分の粉末加工品であり、若しくは、所定の食品と略同一条件で所定の食品とは別体で成長した代替食品と一体に成長した代替一体成長物の所定の食品に対応する部分とは異なる部分の粉末加工品。
【００５８】
［一次産品の付属物１９］
所定の食品の次世代の種子、若しくは、所定の食品と略同一条件で所定の食品とは別体で成長した代替食品の次世代の種子。
【００５９】
［一次産品の付属物２０］
所定の食品の一部、若しくは、所定の食品と略同一条件で所定の食品とは別体で成長した代替食品から得られた種芋。
【００６０】
［一次産品の付属物２１］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００６１】
［一次産品の付属物２２］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００６２】
［一次産品の付属物２３］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００６３】
［一次産品の付属物２４］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００６４】
［一次産品の付属物２５］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００６５】
［一次産品の付属物２６］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００６６】
［一次産品の付属物２７］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００６７】
［一次産品の付属物２８］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００６８】
［一次産品の付属物２９］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００６９】
［一次産品の付属物３０］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００７０】
［一次産品の付属物３１］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００７１】
［一次産品の付属物３２］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００７２】
［一次産品の付属物３３］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００７３】
［一次産品の付属物３４］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００７４】
［一次産品の付属物３５］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００７５】
［一次産品の付属物３６］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００７６】
［一次産品の付属物３７］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００７７】
［一次産品の付属物３８］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００７８】
［一次産品の付属物３９］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００７９】
［一次産品の付属物４０］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８０】
［一次産品の付属物４１］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８１】
［一次産品の付属物４２］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８２】
［一次産品の付属物４３］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８３】
［一次産品の付属物４４］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８４】
［一次産品の付属物４５］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８５】
［一次産品の付属物４６］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８６】
［一次産品の付属物４７］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【００８７】
［一次産品の付属物４８］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【００８８】
［一次産品の付属物４９］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されて構成されたもの。
【００８９】
［一次産品の付属物５０］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されると共に、アンモニアセンサーを有して構成されたもの。
【００９０】
［一次産品の付属物５１］
所定の食品の収穫後に使用された農薬。
【００９１】
［一次産品の付属物５２］
所定の食品の生産の後に同所定の食品に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【００９２】
［一次産品の付属物５３］
所定の食品の生産の後に同所定の食品に関与した動物用食品添加物、若しくは、成長ホルモン剤の少なくとも１つ。
【００９３】
［一次産品の付属物５４］
所定の食品の生産と略同時期に略同一環境で成長した海藻、草、魚介類の少なくとも１つ。
【００９４】
また、「所定のサービス」が、食品（二次産品）の提供（例えば、レストラン）である場合の「サービスの品詞と理解のための付属物の情報」としては、例えば、以下に示す付属物が挙げられる。なお、食品以外の商品（二次産品）の提供である場合の付属物については、以下の付属物の説明中の「食品」を「商品」に読み替えるものとする。
【００９５】
［二次産品の付属物１］
所定の食品の原料。
【００９６】
［二次産品の付属物２］
所定の食品の原料と略同一条件で所定の食品の原料とは別体で成長した代替原料。
【００９７】
［二次産品の付属物３］
所定の食品の原料と略同一条件で所定の食品の原料とは別体で成長した代替原料の粉末。
【００９８】
［二次産品の付属物４］
所定の食品の原料と略同一条件で所定の食品の原料とは別体で成長した代替原料の加工品。
【００９９】
［二次産品の付属物５］
所定の食品の原料と略同一条件で所定の食品の原料とは別体で成長した代替原料の粉末加工品。
【０１００】
［二次産品の付属物６］
所定の食品の原料と略同一条件で所定の食品の原料とは別体で成長した代替原料と一体に成長した代替一体成長物。
【０１０１】
［二次産品の付属物７］
所定の食品の原料と略同一条件で所定の食品の原料とは別体で成長した代替原料と一体に成長した代替一体成長物の粉末。
【０１０２】
［二次産品の付属物８］
所定の食品の原料と略同一条件で所定の食品の原料とは別体で成長した代替原料と一体に成長した代替一体成長物の加工品。
【０１０３】
［二次産品の付属物９］
所定の食品の原料と略同一条件で所定の食品の原料とは別体で成長した代替原料と一体に成長した代替一体成長物の粉末加工品。
【０１０４】
［二次産品の付属物１０］
所定の食品の原料である卵。
【０１０５】
［二次産品の付属物１１］
所定の食品の原料である卵と略同一条件で生産された代替卵。
【０１０６】
［二次産品の付属物１２］
所定の食品の生産に関与した乳酸菌、ビフィズス菌、麹、麹菌、若しくは、枯草菌の少なくとも１つ。
【０１０７】
［二次産品の付属物１３］
所定の食品の生産に関与した木樽、瓶、プラスチック製容器、若しくは、漬け床。
【０１０８】
［二次産品の付属物１４］
所定の食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１０９】
［二次産品の付属物１５］
所定の食品の原料の生産地における種まきや苗植え前の土壌、及び、所定の食品の原料の生産地における収穫後の土壌。
【０１１０】
［二次産品の付属物１６］
所定の食品の原料の生産に関与した土壌、水、海水、海底水、アルカリ水、海底水から採取した塩、海藻の少なくとも１つである生産関与物本体と、該生産関与物本体の採取地の情報である採取地情報とを有するもの。
【０１１１】
［二次産品の付属物１７］
所定の食品の原料の生産地で得られた草。
【０１１２】
［二次産品の付属物１８］
所定の食品の原料の生産に関与した外国産の飼料である草、所定の食品の原料の生産に関与した国内産の飼料である草、所定の食品の原料の生産に関与した外国産の穀物飼料、所定の食品の原料の生産に関与した国内産の穀物飼料の少なくとも１つ。
【０１１３】
［二次産品の付属物１９］
所定の食品の原料の生産に関与した飼料と略同一であり、穀物部分と、抗生物質及び成
長ホルモン剤部分とが別個の状態に構成されたもの。
【０１１４】
［二次産品の付属物２０］
所定の食品の生産に関与した木樽の木片、所定の食品の生産に関与した木樽と略同一条件の木樽の木片、所定の食品の生産に関与した木樽の構成材と同一種類の木片、所定の食品を生産した木樽の中に同所定の食品と共に入れられた前記木樽の構成材と同一種類の木片、所定の食品に含まれる汁、若しくは、所定の食品の生産に関与した汁の少なくとも１つ。
【０１１５】
［二次産品の付属物２１］
所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分。
【０１１６】
［二次産品の付属物２２］
所定の食品の原料と一体に成長した一体成長物の所定の食品の原料とは異なる部分の粉末であり、若しくは、所定の食品の原料と略同一条件で所定の食品の原料とは別体で成長した代替原料と一体に成長した代替一体成長物の所定の食品の原料に対応する部分とは異なる部分の粉末。
【０１１７】
［二次産品の付属物２３］
所定の食品の原料と一体に成長した一体成長物の所定の食品の原料とは異なる部分の加工品であり、若しくは、所定の食品の原料と略同一条件で所定の食品の原料とは別体で成長した代替原料と一体に成長した代替一体成長物の所定の食品の原料に対応する部分とは異なる部分の加工品。
【０１１８】
［二次産品の付属物２４］
所定の食品の原料と一体に成長した一体成長物の所定の食品の原料とは異なる部分の粉末加工品であり、若しくは、所定の食品の原料と略同一条件で所定の食品の原料とは別体で成長した代替原料と一体に成長した代替一体成長物の所定の食品の原料に対応する部分とは異なる部分の粉末加工品。
【０１１９】
［二次産品の付属物２５］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つ。
【０１２０】
［二次産品の付属物２６］
所定の機能別若しくは所定の用途別に分類された所定の食品に用いられた食品添加物の少なくとも一部。
【０１２１】
［二次産品の付属物２７］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、前記所定の割合を表示した表示物。
【０１２２】
［二次産品の付属物２８］
所定の食品の原料の次世代の種子、若しくは、所定の食品の原料と略同一条件で所定の食品の原料とは別体で成長した代替原料の次世代の種子。
【０１２３】
［二次産品の付属物２９］
所定の食品の原料の一部、若しくは、所定の食品の原料と略同一条件で所定の食品の原料とは別体で成長した代替原料から得られた種芋。
【０１２４】
［二次産品の付属物３０］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２５】
［二次産品の付属物３１］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２６】
［二次産品の付属物３２］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２７】
［二次産品の付属物３３］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２８】
［二次産品の付属物３４］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２９】
［二次産品の付属物３５］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３０】
［二次産品の付属物３６］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３１】
［二次産品の付属物３７］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３２】
［二次産品の付属物３８］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３３】
［二次産品の付属物３９］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３４】
［二次産品の付属物４０］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３５】
［二次産品の付属物４１］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３６】
［二次産品の付属物４２］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３７】
［二次産品の付属物４３］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３８】
［二次産品の付属物４４］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３９】
［二次産品の付属物４５］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４０】
［二次産品の付属物４６］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４１】
［二次産品の付属物４７］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４２】
［二次産品の付属物４８］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４３】
［二次産品の付属物４９］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４４】
［二次産品の付属物５０］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４５】
［二次産品の付属物５１］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４６】
［二次産品の付属物５２］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４７】
［二次産品の付属物５３］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４８】
［二次産品の付属物５４］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４９】
［二次産品の付属物５５］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５０】
［二次産品の付属物５６］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５１】
［二次産品の付属物５７］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５２】
［二次産品の付属物５８］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの、及び、前記所定の割合を表示した表示物。
【０１５３】
［二次産品の付属物５９］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの、及び、前記所定の割合を表示した表示物。
【０１５４】
［二次産品の付属物６０］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５５】
［二次産品の付属物６１］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５６】
［二次産品の付属物６２］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５７】
［二次産品の付属物６３］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５８】
［二次産品の付属物６４］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されたもの。
【０１５９】
［二次産品の付属物６５］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されると共に、アンモニアセンサーを有して構成されたもの。
【０１６０】
［二次産品の付属物６６］
所定の食品の原料の収穫後に使用された農薬。
【０１６１】
［二次産品の付属物６７］
所定の食品の原料の生産の後に同所定の食品の原料に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１６２】
［二次産品の付属物６８］
所定の食品の原料の生産の後に同所定の食品の原料に関与した動物用食品添加物、若しくは、成長ホルモン剤の少なくとも１つ。
【０１６３】
［二次産品の付属物６９］
所定の食品の原料の加工直前に、同所定の食品の原料に含まれている燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１６４】
［二次産品の付属物７０］
所定の食品の原料の生産と略同時期に略同一環境で成長した海藻、草、魚介類の少なくとも１つ。
【０１６５】
その他、「所定のサービス」が白蟻駆除である場合には、付属物として白蟻の存在を確認するためのエサが入った箱（白蟻がいる場合には、白蟻にエサが食べられることを確認することができる）が挙げられる。また、「所定のサービス」がガラス取替であれば、付属物として取り付けるガラスと同一のガラスが挙げられる。
【発明の効果】
【０１６６】
本発明のサービス情報提供システムでは、消費者がより一層安心してサービスを選択することが可能となり、サービスの信頼度の向上を実現することができる。
【図面の簡単な説明】
【０１６７】
【図１】本発明のサービス情報提供システムの構成例の一例を説明するための模式図である。
【図２】本発明のサービス情報提供システムの使用方法の一例を示す概略図である。
【発明を実施するための形態】
【０１６８】
以下、発明を実施するための形態（以下、「実施の形態」と称する）について説明を行う。
【０１６９】
図１は、本発明のサービス情報提供システムの構成例の一例を説明するための模式図である。
図１で示すサービス情報提供システム１は、サービス提供者が利用するサービス提供者端末２と、既存顧客が利用する既存顧客端末３（３Ａ，３Ｂ，３Ｃ，３Ｄ，３Ｅ，３Ｆ）と、サーバ４とで構成される。
また、サービス提供者端末２、及び、既存顧客端末３は、インターネット５を介してサーバ４とやり取り可能に構成されている。
【０１７０】
また、サーバ４は、サービス提供者端末２から送信されたサービス提供者情報を記録するサービス提供者情報記録手段６を有する。
【０１７１】
更に、サービス提供者情報記録手段６は、少なくとも、サービス提供者が顧客に提供するサービスの情報６ａと、こうしたサービスと共に提供される付属物の情報６ｂと、出力する既存顧客情報を特定するための出力対象情報６ｃを記録可能に構成されている。
【０１７２】
ここで、サービスの情報６ａに紐付けて、付属物の情報６ｂと、出力対象情報６ｃが記録される。なお、複数のサービスの情報が記録される場合（即ち、サービスの情報６ａに加えて、サービスの情報６ａとは別のサービスの情報も記録される場合）には、それぞれのサービスの情報に対応した付属物の情報、出力対象情報が記録される。
【０１７３】
また、サーバ４は、既存顧客が利用する既存顧客端末３Ａから送信された既存顧客情報Ａを記録する既存顧客情報記録手段７Ａと、既存顧客が利用する既存顧客端末３Ｂから送信された既存顧客情報Ｂを記録する既存顧客情報記録手段７Ｂと、既存顧客が利用する既存顧客端末３Ｃから送信された既存顧客情報Ｃを記録する既存顧客情報記録手段７Ｃと、既存顧客が利用する既存顧客端末３Ｄから送信された既存顧客情報Ｄを記録する既存顧客情報記録手段７Ｄと、既存顧客が利用する既存顧客端末３Ｅから送信された既存顧客情報Ｅを記録する既存顧客情報記録手段７Ｅと、既存顧客が利用する既存顧客端末３Ｆから送信された既存顧客情報Ｆを記録する既存顧客情報記録手段７Ｆを有する。
【０１７４】
また、既存顧客情報記録手段７Ａは、少なくとも、既存顧客端末３Ａを利用する既存顧客の情報７Ａａと、サービス提供者から提供されたサービスの情報７Ａｂと、サービス提供者から提供された付属物の情報７Ａｃと、付属物の情報７Ａｃが利用された場合の還元率の情報７Ａｄと、保有するポイントの情報７Ａｅを記録可能に構成されている。
【０１７５】
ここで、既存顧客の情報７Ａａに紐付けて、サービスの情報７Ａｂと、付属物の情報７Ａｃと、還元率の情報７Ａｄと、ポイントの情報７Ａｅが記録される。また、サービスの情報７Ａｂと紐付けて、付属物の情報７Ａｃと、還元率の情報７Ａｄが記録される。なお、複数のサービスの情報が記録される場合（即ち、サービスの情報７Ａｂに加えて、サービスの情報７Ａｂとは別のサービスの情報も記録される場合）には、それぞれのサービスの情報に対応した付属物の情報、還元率の情報が記録される。
【０１７６】
同様に、既存顧客情報記録手段７Ｂは、少なくとも、既存顧客端末３Ｂを利用する既存顧客の情報７Ｂａと、サービス提供者から提供されたサービスの情報７Ｂｂと、サービス提供者から提供された付属物の情報７Ｂｃと、付属物の情報７Ｂｃが利用された場合の還元率の情報７Ｂｄと、保有するポイントの情報７Ｂｅを記録可能に構成されている。
【０１７７】
ここで、既存顧客の情報７Ｂａに紐付けて、サービスの情報７Ｂｂと、付属物の情報７Ｂｃと、還元率の情報７Ｂｄと、ポイントの情報７Ｂｅが記録される。また、サービスの情報７Ｂｂと紐付けて、付属物の情報７Ｂｃと、還元率の情報７Ｂｄが記録される。なお、複数のサービスの情報が記録される場合（即ち、サービスの情報７Ｂｂに加えて、サービスの情報７Ｂｂとは別のサービスの情報も記録される場合）には、それぞれのサービスの情報に対応した付属物の情報、還元率の情報が記録される。
【０１７８】
同様に、既存顧客情報記録手段７Ｃは、少なくとも、既存顧客端末３Ｃを利用する既存顧客の情報７Ｃａと、サービス提供者から提供されたサービスの情報７Ｃｂと、サービス提供者から提供された付属物の情報７Ｃｃと、付属物の情報７Ｃｃが利用された場合の還元率の情報７Ｃｄと、保有するポイントの情報７Ｃｅを記録可能に構成されている。
【０１７９】
ここで、既存顧客の情報７Ｃａに紐付けて、サービスの情報７Ｃｂと、付属物の情報７Ｃｃと、還元率の情報７Ｃｄと、ポイントの情報７Ｃｅが記録される。また、サービスの情報７Ｃｂと紐付けて、付属物の情報７Ｃｃと、還元率の情報７Ｃｄが記録される。なお、複数のサービスの情報が記録される場合（即ち、サービスの情報７Ｃｂに加えて、サービスの情報７Ｃｂとは別のサービスの情報も記録される場合）には、それぞれのサービスの情報に対応した付属物の情報、還元率の情報が記録される。
【０１８０】
同様に、既存顧客情報記録手段７Ｄは、少なくとも、既存顧客端末３Ｄを利用する既存顧客の情報７Ｄａと、サービス提供者から提供されたサービスの情報７Ｄｂと、サービス提供者から提供された付属物の情報７Ｄｃと、付属物の情報７Ｄｃが利用された場合の還元率の情報７Ｄｄと、保有するポイントの情報７Ｄｅを記録可能に構成されている。
【０１８１】
ここで、既存顧客の情報７Ｄａに紐付けて、サービスの情報７Ｄｂと、付属物の情報７Ｄｃと、還元率の情報７Ｄｄと、ポイントの情報７Ｄｅが記録される。また、サービスの情報７Ｄｂと紐付けて、付属物の情報７Ｄｃと、還元率の情報７Ｄｄが記録される。なお、複数のサービスの情報が記録される場合（即ち、サービスの情報７Ｄｂに加えて、サービスの情報７Ｄｂとは別のサービスの情報も記録される場合）には、それぞれのサービスの情報に対応した付属物の情報、還元率の情報が記録される。
【０１８２】
同様に、既存顧客情報記録手段７Ｅは、少なくとも、既存顧客端末３Ｅを利用する既存顧客の情報７Ｅａと、サービス提供者から提供されたサービスの情報７Ｅｂと、サービス提供者から提供された付属物の情報７Ｅｃと、付属物の情報７Ｅｃが利用された場合の還元率の情報７Ｅｄと、保有するポイントの情報７Ｅｅを記録可能に構成されている。
【０１８３】
ここで、既存顧客の情報７Ｅａに紐付けて、サービスの情報７Ｅｂと、付属物の情報７Ｅｃと、還元率の情報７Ｅｄと、ポイントの情報７Ｅｅが記録される。また、サービスの情報７Ｅｂと紐付けて、付属物の情報７Ｅｃと、還元率の情報７Ｅｄが記録される。なお、複数のサービスの情報が記録される場合（即ち、サービスの情報７Ｅｂに加えて、サービスの情報７Ｅｂとは別のサービスの情報も記録される場合）には、それぞれのサービスの情報に対応した付属物の情報、還元率の情報が記録される。
【０１８４】
同様に、既存顧客情報記録手段７Ｆは、少なくとも、既存顧客端末３Ｆを利用する既存顧客の情報７Ｆａと、サービス提供者から提供されたサービスの情報７Ｆｂと、サービス提供者から提供された付属物の情報７Ｆｃと、付属物の情報７Ｆｃが利用された場合の還元率の情報７Ｆｄと、保有するポイントの情報７Ｆｅを記録可能に構成されている。
【０１８５】
ここで、既存顧客の情報７Ｆａに紐付けて、サービスの情報７Ｆｂと、付属物の情報７Ｆｃと、還元率の情報７Ｆｄと、ポイントの情報７Ｆｅが記録される。また、サービスの情報７Ｆｂと紐付けて、付属物の情報７Ｆｃと、還元率の情報７Ｆｄが記録される。なお、複数のサービスの情報が記録される場合（即ち、サービスの情報７Ｆｂに加えて、サービスの情報７Ｆｂとは別のサービスの情報も記録される場合）には、それぞれのサービスの情報に対応した付属物の情報、還元率の情報が記録される。
【０１８６】
また、サーバ４は、新規顧客（見込み顧客）が情報を求めた場合に、出力対象情報６ｃに記録された情報に基づいて、既存顧客情報記録手段７に記録された付属物の情報を出力する付属物出力手段８を有する。
具体的には、例えば、出力対象情報６ｃに出力対象として「付属物の情報７Ｅｃ」が記録されている場合には、付属物の情報７Ｅｃが出力されることになる。
【０１８７】
ところで、既存顧客情報の変更を既存顧客の判断のみで行えるとした場合には、変更後の情報の内容によってサービス提供者が大きな不利益を被ることも考えられる。例えば、新規記録時にはサービス提供者が好む内容としてサービス提供者が選択するように仕向け、その後に悪意をもって虚偽の情報に変更する場合等が挙げられる。
そのため、既存顧客情報の変更については、既存顧客自身が行えるものの、変更内容をサービス提供者が承認した場合に限って、その変更が反映されるように構成しても良い。
なお、（記録された情報の変更ではなく）新規の記録の場合には、サービス提供者が選択しなければ情報が出力されることは無いため、承認の仕組み等は不要である。
【０１８８】
更に、サーバ４は、付属物出力手段８が付属物の情報を出力した場合に、既存顧客にポイントを付与するポイント付与手段９を有する。
具体的には、例えば、付属物の情報７Ｅｃが出力された場合には、既存顧客情報記録手段７Ｅの保有するポイントの情報７Ｅｅに、還元率の情報７Ｅｄに応じたポイントが加算されることになる。
【０１８９】
図２は、本発明のサービス情報提供システムの使用方法の一例を示す概略図である。
なお、以下では、既存顧客３０（３０Ａ，３０Ｂ，３０Ｃ，３０Ｄ，３０Ｅ，３０Ｆ）は、過去にサービス提供者２０が提供するサービスを受けたことがあり、新規顧客４０はサービス提供者２０のサービスの提供を受けるか否かの検討に際して、情報の収集を行っていることを前提として説明を行う。
【０１９０】
［１．各種情報の記録］
本発明のサービス情報提供システムの使用方法の一例では、新規顧客４０が情報を得るためには、各種情報がサーバ４に記録される必要がある。そのために、サーバ４への各種情報の記録について説明を行う。
【０１９１】
先ず、サービス提供者２０が、自身が提供するサービス内容（サービスの情報６ａ）を、サービス提供者端末２を用いてサービス提供者情報記録手段６に記録する。また、サービス提供者２０が、自身が提供する付属物の内容（付属物の情報６ｂ）を、サービス提供者端末２を用いてサービス提供者情報記録手段６に記録する。
これらの記録は、図２中符号（１）で示すステップである。
【０１９２】
次に、サービス提供者２０が既存顧客３０Ａに対してサービス２００を提供する。また、サービス提供者２０は、サービス２００と共に、付属物２０１の現物を既存顧客３０Ａに提供する。なお、付属物２０１はサービス２００の品質理解のため（換言すると、品質の見える化のため）に提供するものである。
【０１９３】
即ち、サービス提供者２０は、サービス２００の提供と共に付属物２０１の現物を既存顧客３０Ａに提供することで、サービス２００の品質を既存顧客３０Ａが充分に把握できるようにしている。
【０１９４】
続いて、既存顧客３０Ａは、自身を特定する情報（既存顧客の情報７Ａａ）を、既存顧客端末３Ａを用いて既存顧客情報記録手段７Ａに記録する。
また、既存顧客の情報７Ａａに紐付けて、サービス提供者２０から提供されたサービス２００の内容（サービスの情報７Ａｂ）と、サービス提供者２０から提供された付属物２０１の内容（付属物の情報７Ａｃ）を、既存顧客端末３Ａを用いて既存顧客情報記録手段７Ａに記録する。
更に、既存顧客の情報７Ａａに紐付けて、付属物の情報７Ａｃが利用された場合の還元率の情報７Ａｄを、既存顧客端末３Ａを用いて既存顧客情報記録手段７Ａに記録する。
これらの記録は、図２中符号（２）で示すステップである。
また、既存顧客３０Ａは、サービス２００の品質を把握することが可能となる種々の情報を記録しても良い。例えば、サービス提供者２０の営業実態や方針、組織実態や取引実態等が挙げられる。既存顧客３０Ａがサービス提供者２００と実際に取引を行ったからこそ得ることができた情報を登録することで、サービス提供者２００の本当の姿の見える化が可能になるのである。
【０１９５】
なお、既存顧客３０Ａが各種情報を記録すると、サービス提供者２０に「その旨」が送信される（図２中符号（３）で示すステップ）。
【０１９６】
ここでは、既存顧客３０Ａが、既存顧客の情報７Ａａ、サービスの情報７Ａｂ、付属物の情報７Ａｃ、還元率の情報７Ａｄを記録する場合の説明を行っているが、同様にして、既存顧客３０Ｂ、既存顧客３０Ｃ、既存顧客３０Ｄ、既存顧客３０Ｅ及び既存顧客３０Ｆも、記録を行う。
なお、既存顧客３０Ａ〜３０Ｆは、同タイミングで記録を行うということではなく、サービス提供者２０からサービスを受けた後に、順次行うものである。
【０１９７】
次に、上記（３）で示すステップで、「その旨」が送信されていることから、サービス提供者２０は、サーバ４にアクセスして、記録された既存顧客情報３０（３０Ａ〜３０Ｆ）を確認した上で、いずれかの既存顧客情報を選択し（例えば、付属物の情報の質を比較して既存顧客情報を選択する、還元率を比較して既存顧客情報を選択する、など）、サービス提供者端末２を用いて、出力対象情報６ｃを記録する（図２中符号（４）で示すステップ）。
【０１９８】
上述したような各種情報の記録の後に、新規顧客４０に対して、各種情報の提供が可能となる。
【０１９９】
なお、ここでは、サービス提供者２０が提供するサービス２００について、既存顧客３０が各種情報の記録を行う場合のみを説明しているが、サーバ４に記録される情報は「サービス提供者２０が提供するサービス２００」に関するもののみではなく、「サービス提供者２０が提供するサービス２００とは別のサービス」や、「サービス提供者２０とは別のサービス提供者が提供するサービス」に関するものについても記録される。
即ち、本実施例では、新規顧客４０が、サービス提供者２０が提供するサービス２００に関連する情報を得る場合を例に挙げて説明を行うが（後述）、サーバ４は、「サービス提供者２０が提供するサービス２００とは別のサービス」や、「サービス提供者２０とは別のサービス提供者が提供するサービス」に関連する情報も提供することができる。
【０２００】
［２．各種情報の提供］
サービス提供者２０が提供するサービス２００に関連して、各種情報の提供を希望する新規顧客４０は、新規顧客端末（図示せず）でインターネット５を介してサーバ４にアクセスを行う（図２中符号（５）で示すステップ）。
【０２０１】
サーバ４にアクセスすると、新規顧客端末には、情報提供が可能なサービス提供者の一覧が表示され、新規顧客４０は表示された一覧の中から「サービス提供者２０」を選択する。また、「サービス提供者２０」を選択すると、サービス提供者２０が提供するサービスの一覧が表示され、新規顧客４０は表示された一覧の中から「サービス２００」を選択する。
【０２０２】
そして、新規顧客端末から「サービス提供者２０のサービス２００」が選択されると、付属物出力手段８が、サービス提供者情報記録手段６に記録されたサービスの情報６ａ（サービス２００に対応する情報がサービスの情報６ａである）と、サービスの情報６ａに紐付けられた付属物の情報６ｂを出力する（新規顧客端末に情報が表示される）。
【０２０３】
併せて、付属物出力手段８は、サービスの情報６ａに紐付けられた出力対象情報６ｃに基づいて、既存顧客情報を出力する（新規顧客端末に情報が表示される）。具体的には、例えば、出力対象情報６ｃに出力対象として「付属物の情報７Ｅｃ」が記録されている場合には、付属物の情報７Ｅｃと、付属物の情報７Ｅｃに紐付けられたサービスの情報７Ｅｂを出力する。
【０２０４】
その後、新規顧客４０がサービス提供者２０のサービス２００の提供を受ける場合（サービス提供者２０のサービス２００を購入する場合）には、サービス提供者２０が新規顧客４０に対してサービス２００を提供する。また、サービス提供者２０は、サービス２００と共に、付属物２０１の現物を新規顧客４０に提供する。
【０２０５】
なお、付属物出力手段８が情報を出力すると、既存顧客に「その旨」が送信される（既存顧客７Ｅに送信される場合について、図２中符号（６）で示すステップ）。
【０２０６】
［３．ポイントの付与］
付属物出力手段８が情報を出力すると、ポイント付与手段９は、付属物出力手段８が出力した情報の登録者にポイントを付与する。具体的には、例えば、付属物出力手段８が付属物の情報７Ｅｃを出力した場合には、「サービス提供者２０のサービス２００の価格」に還元率の情報７Ｅｄを乗じた価格に相当するポイントを付与し、保有するポイントの情報７Ｅｅが更新されることになる。
【０２０７】
［効果］
上記した本発明のサービス情報提供システムでは、付属物の情報７Ｅｃによって、サービス提供者２０のサービス２００の品質を把握することができる。
なお、サービス２００の提供を受ける前に、付属物の情報７Ｅｃを確認することで、サービス２００の品質を把握することができるために、新規顧客４０はサービス提供者２０のサービス２００を受けるか否か（サービス２００を購入するか否か）の判断材料を得ることができる。
【０２０８】
また、付属物の情報６ｂと付属物の情報７Ｅｃの双方が出力され、サービスを提供する側（サービス提供者２０）とサービスを提供される側（既存顧客３０Ｅ）の双方の情報に基づいて付属物２０１の特定を行うことにより、情報の改竄や偽造等を抑止することができる。
【０２０９】
同様に、サービスの情報６ａとサービスの情報７Ｅｂの双方が出力され、サービスを提供する側（サービス提供者２０）とサービスを提供される側（既存顧客３０Ｅ）の双方の情報に基づいてサービス２００の特定を行うことにより、情報の改竄や偽造等を抑止することができる。
【０２１０】
また、既存顧客にポイントが付与されることから、既存顧客情報を登録しようというインセンティブが高まり、既存顧客情報の充実（数量の充実、品質の充実）が期待でき、結果として、付属物を通じてより一層サービス２００の品質を把握することができる。
【０２１１】
また、既存顧客自身が付属物の情報や還元率の情報を登録できること、サービス提供者２０が選択した既存顧客情報に対してのみポイントが付与されること、から、既存顧客情報の品質が高められることが期待でき、このことによっても、付属物を通じてより一層サービス２００の品質を把握することができる。
【０２１２】
［変形例１］
上記した本発明のサービス情報提供システムの一例では、付属物の情報７Ｅｃが出力される場合を例に挙げて説明を行っているが、新規顧客４０が付属物の情報を確認することができれば充分であるために、付属物の情報７Ｅｃにアクセスできる識別情報（二次元バーコードやカラーコード等の識別子）を出力しても良い。
この場合、識別情報を用いて、新規顧客端末で付属物の情報７Ｅｃが掲載されたウェブサイト等にアクセスして、付属物の情報７Ｅｃを確認することになる。
【０２１３】
なお、変形例１のように、識別情報を通じて付属物の情報７Ｅｃにアクセスする場合は、アクセスしたウェブサイトには同一の情報が掲載されているであろうという新規顧客の期待を考慮して、既存顧客情報記録手段７Ｅの付属物の情報７Ｅｃが変更された場合であっても、変更前に出力した識別情報でアクセスするウェブサイトには変更前の付属物の情報７Ｅｃが掲載されるようにしても良い。
【０２１４】
［変形例２］
また、上記した本発明のサービス情報提供システムの一例では、所定のサービス２００と共に付属物２０１を提供する場合を例に挙げて説明を行っているが、必ずしも付属物２０１が提供される必要はなく、サービス提供者２０からサービス２００のみが提供されても良い。
【０２１５】
［変形例３］
更に、上記した本発明のサービス情報提供システムの一例では、既存顧客情報の付属物の情報（７Ａｃ，７Ｂｃ，７Ｃｃ，７Ｄｃ，７Ｅｃ，７Ｆｃ）として、「サービス提供者２０が提供した付属物２０１の情報」を例に挙げ、付属物の情報６ｂと同種である（即ち、既存顧客情報の付属物の情報も付属物６ｂの情報も、付属物２０１に関する情報であるという点で共通している）場合の説明を行っているが、既存顧客情報の付属物の情報と付属物６ｂの情報は必ずしも同種である必要はなく、所定のサービス２００の品質理解のための情報であれば、いかなる情報であっても良い。
【符号の説明】
【０２１６】
１    サービス情報提供システム
２    サービス提供者端末
３    既存顧客端末
４    サーバ
５    インターネット
６    サービス提供者情報記録手段
７    既存顧客情報記録手段
８    付属物出力手段
９    ポイント付与手段
２０    サービス提供者
３０    既存顧客
４０    新規顧客
２００    サービス
２０１    付属物
【図１】
2020061115.tif 000003
【図２】
2020061115.tif 000004
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
所定のサービスの情報を含み、サービス提供者の端末から送信された情報を、サービス提供者情報として記録するサービス提供者情報記録手段と、
前記サービス提供者から提供されたサービスの情報と、前記サービス提供者から提供されたサービスの品質理解のための付属物の情報を含み、前記サービス提供者とは異なる既存顧客の端末から送信された情報を、既存顧客情報として記録する既存顧客情報記録手段と、
前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、
前記付属物情報出力手段が情報を出力することによって、付属物の情報が利用された既存顧客に対して、ポイントを付与するポイント付与手段と、を備える
サービス情報提供システム。
【請求項２】
前記サービス提供者情報は、前記サービス提供者が提供するサービスの品質理解のための付属物の情報を含む
請求項１に記載のサービス情報提供システム。
【請求項３】
前記サービス提供者情報記録手段は、前記既存顧客情報記録手段とは異なる
請求項１または請求項２に記載のサービス情報提供システム。
【請求項４】
前記サービス提供者情報は、前記選択既存顧客情報を特定するための特定情報を含み、同特定情報に基づいて、前記付属物情報出力手段及び前記ポイント付与手段が機能する
請求項１、請求項２または請求項３に記載のサービス情報提供システム。
【請求項５】
サービス提供者から提供されたサービスの品質理解のための付属物の情報を含み、前記サービス提供者とは異なる既存顧客の端末から送信された情報を、既存顧客情報として記録する既存顧客情報記録手段と、
前記既存顧客情報記録手段に記録された前記既存顧客情報のうち、前記サービス提供者が選択した既存顧客情報である選択既存顧客情報に含まれる付属物の情報、若しくは、同付属物の情報にアクセス可能な識別情報を出力する付属物情報出力手段と、
前記付属物情報出力手段が情報を出力することによって、付属物の情報が利用された既存顧客に対して、ポイントを付与するポイント付与手段と、を備える
サービス情報提供システム。
【請求項６】
サービス提供者から所定のサービスの提供を受けた既存顧客の情報と、前記所定のサービスの品質理解のための付属物の情報とを、既存顧客情報として記録する既存顧客情報記録手段と、
前記既存顧客情報記録手段に記録された付属物の情報、若しくは、同付属物の情報にアクセス可能な識別情報を出力する付属物情報出力手段と、
前記付属物情報出力手段が情報を出力することによって、付属物の情報が利用された既存顧客に対して、ポイントを付与するポイント付与手段とを備え、
前記既存顧客情報記録手段に記録された既存顧客情報のうち、少なくとも付属物の情報については、既存顧客自身が変更可能に構成されると共に、
前記付属物情報出力手段が出力する情報は、前記既存顧客情報記録手段に記録された顧客情報からサービス提供者が選択し、出力対象情報として前記サービス提供者情報記録手段に記録された情報に基づいて出力可能に構成されている
サービス情報提供システム。
【請求項７】
前記既存顧客情報記録手段に記録された顧客情報は、既存顧客自身が変更し、その後、サービス提供者が承認することによって変更が反映されるべく構成されている
請求項６に記載のサービス情報提供システム。
【請求項８】
前記付属物情報出力手段は、前記既存顧客情報記録手段に記録された付属物の情報にアクセス可能な識別情報であり、前記顧客情報が変更された場合であっても、前記識別情報の出力から所定期間は変更前の付属物の情報にアクセス可能に構成されている
請求項６または請求項７に記載のサービス情報提供システム。